(57)【特許請求の範囲】
【請求項１】
カメラ、マイクおよびセンサを含む電気設備を有し、この電気設備を制御する制御装置を有し、前記カメラからの画像信号、前記マイクからの音声信号および前記センサからの計測信号を入力するとともに前記電気設備を制御信号により制御し、前記画像信号、前記音声信号、前記計測信号および前記制御信号を無線にてデータ伝送する無線伝送端末を有する端末装置と、
この無線伝送端末との無線通信を行う有線中継装置と、
この有線中継装置と有線通信網を介してデータ伝送を行う通信制御装置と、
この通信制御装置を介し前記有線中継装置を通じ前記無線伝送端末から伝送された前記画像信号の表示を行い、かつ前記通信制御装置との間で監視および制御の信号を伝送する中央監視装置と、
前記有線通信網に接続され、前記画像信号および前記音声信号または前記監視および制御の信号の通信を行う基地局及び子機と、
前記有線通信網に接続され、前記画像信号または前記監視および制御の信号の通信による配信を行う複数の配信端末とを備えた無線設備監視システムであって、
前記中央監視装置における監視を前記子機にても行うことを前記子機にて通信により要求する手段と、前記子機にて画像表示および音声出力または監視信号表示および制御信号指令をする手段と、前記中央監視装置における監視機能を前記子機側にても監視できることを許可する手段と、この許可された信号を前記子機側へ伝送する手段と、前記子機より監視要求があった場合に前記子機の属性を認証する手段と、認証後前記子機の監視を許可する手段とを有し、この許可後に前記子機にて前記無線伝送端末からの画像表示および音声出力または監視信号表示および制御信号指令を行う無線設備監視システム。
【請求項２】
カメラ、マイクおよびセンサを含む電気設備を有し、この電気設備を制御する制御装置を有し、前記カメラからの画像信号、前記マイクからの音声信号および前記センサからの計測信号を入力するとともに前記電気設備を制御信号により制御し、前記画像信号、前記音声信号、前記計測信号および前記制御信号を無線にてデータ伝送する無線伝送端末を有する端末装置と、
この無線伝送端末との無線通信を行う有線中継装置と、
この有線中継装置と有線通信網を介してデータ伝送を行う通信制御装置と、
この通信制御装置を介し前記有線中継装置を通じ前記無線伝送端末から伝送された前記画像信号の表示を行い、かつ前記通信制御装置との間で監視および制御の信号を伝送する中央監視装置と、
前記有線通信網に接続され、前記画像信号および前記音声信号または前記監視および制御の信号の通信を行う基地局及び子機と、
前記有線通信網に接続され、前記画像信号または前記監視および制御の信号の通信による配信を行う複数の配信端末とを備えた無線設備監視システムであって、
前記中央監視装置から前記子機による監視項目を設定する手段と、設定した前記監視項目の計測値と基準設定値を比較する手段と、比較した結果前記基準設定値を超えた場合に前記子機を呼び出す手段と、前記子機からの認証確認要求があった場合に認証を行う手段とを有し、前記認証が許可された場合にのみ前記子機に前記無線伝送端末との監視機能を開始させ、前記無線伝送端末からの画像表示および音声出力または監視信号表示および制御信号指令を行うことを特徴とする無線設備監視システム。
【請求項３】
カメラ、マイクおよびセンサを含む電気設備を有し、この電気設備を制御する制御装置を有し、前記カメラからの画像信号、前記マイクからの音声信号および前記センサからの計測信号を入力するとともに前記電気設備を制御信号により制御し、前記画像信号、前記音声信号、前記計測信号および前記制御信号を無線にてデータ伝送する無線伝送端末を有する端末装置と、
この無線伝送端末との無線通信を行う有線中継装置と、
この有線中継装置と有線通信網を介してデータ伝送を行う通信制御装置と、
この通信制御装置を介し前記有線中継装置を通じ前記無線伝送端末から伝送された前記画像信号の表示を行い、かつ前記通信制御装置との間で監視および制御の信号を伝送する中央監視装置と、
前記有線通信網に接続され、前記画像信号および前記音声信号または前記監視および制御の信号の通信を行う基地局及び子機と、
前記有線通信網に接続され、前記画像信号または前記監視および制御の信号の通信による配信を行う複数の配信端末とを備えた無線設備監視システムであって、
前記中央監視装置から配信による監視項目を設定する手段と、配信を行う前記配信端末のアドレスを指定する手段と、配信の許可を設定する手段と、前記配信端末からの配信要求に対し許可フラグを通知する手段と、前記配信端末からの認証確認要求があった場合に認証を行う手段とを有し、認証が許可された場合にのみ前記配信端末に前記無線伝送端末との監視機能を開始させ前記無線伝送端末からの画像表示または監視信号表示の配信を行うことを特徴とする無線設備監視システム。
【請求項４】
中央監視装置から子機による音声通話による監視項目を設定する手段と、音声監視機能を前記子機側にても監視できることを許可する手段と、前記子機からの音声監視要求に対し許可フラグを通知する手段と、無線伝送端末へ音声監視機能を前記子機側にても監視する許可フラグを通知する手段と、前記子機からの音声監視を要求する手段と、前記音声監視要求後前記子機からの認証確認要求があった場合に認証を行う手段と、認証が許可された場合にのみ前記無線伝送端末へ前記子機と通信接続要求を許可するフラグを通知する手段と、前記子機と前記無線伝送端末とを通信接続する手段を有し、前記子機に前記無線伝送端末との音声監視機能を開始させ前記無線伝送端末からの画像表示および音声出力または監視信号表示および制御信号指令および音声通話を行う請求項１記載の無線設備監視システム。
【請求項５】
カメラ、マイクおよびセンサを含む電気設備を有し、この電気設備を制御する制御装置を有し、前記カメラからの画像信号、前記マイクからの音声信号および前記センサからの計測信号を入力するとともに前記電気設備を制御信号により制御し、前記画像信号、前記音声信号、前記計測信号および前記制御信号を無線にてデータ伝送する無線伝送端末を有する端末装置と、
前記カメラからの前記画像信号と、前記マイクからの前記音声信号と、前記センサからの前記計測信号とを入力し、これらを含む電気設備の制御を行ない、または選択により無線中継機能のみ行うことに特定できる手段を有し、前記画像信号、前記音声信号、前記計測信号および前記制御信号を無線によりデータ伝送を単一周波数にて時分割多重方式による多重化を行う１または複数段の無線中継伝送を行うｎ個の無線中継装置と、
前記無線伝送端末との無線通信を行う有線中継装置と、
この有線中継装置と有線通信網を介してデータ伝送を行う通信制御装置と、
この通信制御装置を介し前記有線中継装置を通じ前記無線伝送端末から伝送された前記画像信号の表示を行い、かつ前記通信制御装置との間で監視および制御の信号を伝送する中央監視装置と、
前記有線通信網に接続され、前記画像信号および前記音声信号または前記監視および制御の信号の通信を行う基地局及び子機と、
前記有線通信網に接続され、前記画像信号または前記監視および制御の信号の通信による配信を行う複数の配信端末とを備えた無線設備監視システムであって、
前記子機にて中央監視装置における監視を通信により要求する手段と、前記子機にて画像表示および音声出力または監視信号表示および制御信号指令をする手段と、前記中央監視装置における監視機能を前記子機側にても監視できることを許可する手段と、この前記許可された信号を前記子機側へ伝送する手段と、前記子機より監視要求があった場合に前記子機の属性を認証する手段と、認証後子機の監視を許可する手段とを有し、
前記許可後に前記子機にて前記無線中継装置を介して前記無線伝送端末または前記無線中継装置からの画像表示および音声出力または監視信号表示および制御信号指令を行う無線設備監視システム。
【請求項６】
中央監視装置から子機による音声通話による監視項目を設定する手段と、音声監視機能を前記子機側にても監視できることを許可する手段と、前記子機からの音声監視要求に対し、許可フラグを通知する手段と、無線伝送端末へ音声監視機能を前記子機側にても監視する許可フラグを通知する手段と、前記子機からの音声監視を要求する手段と、前記音声監視要求後前記子機からの認証確認要求があった場合に認証を行う手段と、認証が許可された場合にのみ前記無線伝送端末へ前記子機と通信接続要求を許可するフラグを通知する手段と、前記子機と前記無線伝送端末とを通信接続する手段とを有し、前記子機に前記無線伝送端末または前記無線中継装置との音声監視機能を開始させ前記無線伝送端末または前記無線中継装置からの画像表示および音声出力または監視信号表示および制御信号指令および音声通話を行う請求項５記載の無線設備監視システム。
【請求項７】
中央監視装置から子機による音声同報指令による監視項目を設定する手段と、音声監視機能を前記子機側にても監視できることを許可する手段と、前記子機からの音声監視要求に対し許可フラグを通知する手段と、無線伝送端末及び無線中継装置へ音声監視機能を前記子機側にても監視する許可フラグを通知する手段と、前記子機からの音声監視を要求する手段と、前記音声監視要求後前記子機からの認証確認要求があった場合に認証を行う手段と、認証が許可された場合にのみ前記無線伝送端末へ前記子機と通信接続要求を許可するフラグを通知する手段と、前記子機と前記無線伝送端末とを通信接続する手段とを有し、前記子機から前記無線伝送端末及び前記無線中継装置への音声同報指令を開始させ、前記無線伝送端末または前記無線中継装置からの画像表示および音声出力または監視信号表示および無線伝送端末並びに各無線中継装置への音声同報指令を行う請求項５記載の無線設備監視システム。
【発明の詳細な説明】
【０００１】
【発明の属する技術分野】
本発明は、設備の監視や画像監視を行う無線設備監視システムに関するものである。
【０００２】
【従来の技術】
従来の無線画像監視システムについて、図１０を参照しながら説明する。図１０において、中央監視装置１０９からのカメラ制御信号が、画像通信制御装置１１１を経由して有線通信網９に伝送され、伝送端末１１０に接続された制御装置６によりカメラ５への制御信号が出力され、カメラ５より画像信号が、センサ７より計測信号がそれぞれ伝送端末１１０に入力され、画像データと計測データが有線通信網９を介し画像通信制御装置１１１へ入力され、中央監視装置１０９にて画像表示を行うものである。
【０００３】
【発明が解決しようとする課題】
しかしながら、このような従来の遠方監視システムにおいて、
（１）中継装置からカメラの設置位置まで距離がある場合に有線ケーブルが敷設できず、カメラ設置場所が制約され画像監視システムの機能が制約される。特に既設の運用されているトンネル内における有線ケーブル設置工事は道路通行上、設置工事が困難な場合があった。
（２）また、有線ケーブルが災害時に遮断される場合や、経年変化によるケーブル信頼性の低下によるシステムの信頼性が損なわれる場合があった。
（３）さらにカメラ制御装置と中継装置との間の伝送距離が長い場合や障害物がある場合は、無線伝送が不能になり中継伝送の必要がある。さらに監視対象がトンネル内や河川等で点在している場合には、中継点においてもカメラや電気設備が接続され、画像入力や設備監視機能が必要となる。
（４）設備監視を移動通信にて行う場合、中央監視装置と移動子機を連動させて遠隔監視することができなかった。
【０００４】
本発明は上記課題を解決するもので、カメラの設置位置が中継装置から距離がある場合にもカメラ設置場所が制約されず、有線回線に監視画像を伝送でき、さらに利得アンテナが使用できることにより伝送距離を伸ばすことができ、また、有線ケーブルが災害時に遮断される場合や経年変化によるケーブル信頼性の低下によるシステムの信頼性が損なわれず、かつ、移動子機からの遠隔設備の監視や任意の遠隔端末に画像や監視データを配信できる無線設備監視システムを提供することを目的とする。
【０００５】
【課題を解決するための手段】
請求項１記載の無線設備監視システムは、カメラ、マイクおよびセンサを含む電気設備を有し、この電気設備を制御する制御装置を有し、前記カメラからの画像信号、前記マイクからの音声信号および前記センサからの計測信号を入力するとともに前記電気設備を制御信号により制御し、前記画像信号、前記音声信号、前記計測信号および前記制御信号を無線にてデータ伝送する無線伝送端末を有する端末装置と、
この無線伝送端末との無線通信を行う有線中継装置と、
この有線中継装置と有線通信網を介してデータ伝送を行う通信制御装置と、
この通信制御装置を介し前記有線中継装置を通じ前記無線伝送端末から伝送された前記画像信号の表示を行い、かつ前記通信制御装置との間で監視および制御の信号を伝送する中央監視装置と、
前記有線通信網に接続され、前記画像信号および前記音声信号または前記監視および制御の信号の通信を行う基地局及び子機と、
前記有線通信網に接続され、前記画像信号または前記監視および制御の信号の通信による配信を行う複数の配信端末とを備えた無線設備監視システムであって、
前記中央監視装置における監視を前記子機にても行うことを前記子機にて通信により要求する手段と、前記子機にて画像表示および音声出力または監視信号表示および制御信号指令をする手段と、前記中央監視装置における監視機能を前記子機側にても監視できることを許可する手段と、この許可された信号を前記子機側へ伝送する手段と、前記子機より監視要求があった場合に前記子機の属性を認証する手段と、認証後前記子機の監視を許可する手段とを有し、この許可後に前記子機にて前記無線伝送端末からの画像表示および音声出力または監視信号表示および制御信号指令を行うことを特徴とするものである。
【０００６】
請求項１記載の無線設備監視システムによれば、カメラからの画像信号と、マイクからの音声信号と、センサからの計測信号が入力され、無線伝送端末により無線にて有線中継装置へデータ伝送が行われる。また、中央監視装置より遠隔地の設備監視および制御の信号が発せられ、通信制御装置より有線通信網を介し有線中継装置へ伝送が行われ、さらに無線にて無線伝送端末にデータ伝送が行われ、カメラや設備の制御を行なう。中央監視装置は有線通信網に接続された基地局を経由して子機から無線伝送端末に対し直接監視制御を行うために子機監視許可フラグを１に設定し、子機に許可フラグを伝送する。次に子機側から無線伝送端末に対し直接監視制御を行う要求が入力キー等により選択されると、子機監視許可フラグを確認し、フラグが１であれば、認証要求を中央監視装置へ送信し、中央監視装置にて子機が正規に中央監視装置に登録されたものと判定した場合は、中央監視装置から許可信号を送信し、子機は無線伝送端末１に対し直接監視制御や子機に監視画像の表示および音声の出力を行う。
【０００７】
したがって、子機が公衆基地局の通信範囲にあるが無線伝送端末が公衆基地局との通信が不能なエリアにおいても子機から無線伝送端末への監視制御ができ、かつ、開始する際に、中央監視装置との許可及び認証処理を行うので、情報機密を確保し、なおかつ移動体にて簡易により広範囲にわたり、設備の計測データや画像監視を行う無線設備監視システムを提供することができる。
【０００８】
請求項２記載の無線設備監視システムは、カメラ、マイクおよびセンサを含む電気設備を有し、この電気設備を制御する制御装置を有し、前記カメラからの画像信号、前記マイクからの音声信号および前記センサからの計測信号を入力するとともに前記電気設備を制御信号により制御し、前記画像信号、前記音声信号、前記計測信号および前記制御信号を無線にてデータ伝送する無線伝送端末を有する端末装置と、
この無線伝送端末との無線通信を行う有線中継装置と、
この有線中継装置と有線通信網を介してデータ伝送を行う通信制御装置と、
この通信制御装置を介し前記有線中継装置を通じ前記無線伝送端末から伝送された前記画像信号の表示を行い、かつ前記通信制御装置との間で監視および制御の信号を伝送する中央監視装置と、
前記有線通信網に接続され、前記画像信号および前記音声信号または前記監視および制御の信号の通信を行う基地局及び子機と、
前記有線通信網に接続され、前記画像信号または前記監視および制御の信号の通信による配信を行う複数の配信端末とを備えた無線設備監視システムであって、
前記中央監視装置から前記子機による監視項目を設定する手段と、設定した前記監視項目の計測値と基準設定値を比較する手段と、比較した結果前記基準設定値を超えた場合に前記子機を呼び出す手段と、前記子機からの認証確認要求があった場合に認証を行う手段とを有し、前記認証が許可された場合にのみ前記子機に前記無線伝送端末との監視機能を開始させ、前記無線伝送端末からの画像表示および音声出力または監視信号表示および制御信号指令を行うことを特徴とするものである。
【０００９】
請求項２記載の無線設備監視システムによれば、中央監視装置から無線伝送端末を子機側にて監視する監視項目を設定し、それぞれの設定値と計測値を比較する。次に計測値が設定値を超えた場合に子機と通信接続を行い、子機呼び出し要求信号を送信する。子機側は上記信号を受信後、認証要求を中央監視装置へ送信し、中央監視装置にて子機が正規に中央監視装置が登録されたものと判定した場合は、中央監視装置から許可信号を送信し、子機は無線伝送端末に対し直接監視制御や子機に監視画像の表示および音声の出力を行う。また、中央監視装置は子機からの直接監視終了後、再び中央監視装置からの監視制御を開始する。
【００１０】
したがって、子機が公衆基地局の通信範囲にあるが無線伝送端末が公衆基地局との通信が不能なエリアにおいても、監視項目が設定値を超えた場合、子機から無線伝送端末１への監視制御ができることにより、中央監視装置以外の場所にても監視制御ができ、緊急時の設備異常の際に早期対策ができる。
【００１１】
請求項３記載の無線設備監視システムは、カメラ、マイクおよびセンサを含む電気設備を有し、この電気設備を制御する制御装置を有し、前記カメラからの画像信号、前記マイクからの音声信号および前記センサからの計測信号を入力するとともに前記電気設備を制御信号により制御し、前記画像信号、前記音声信号、前記計測信号および前記制御信号を無線にてデータ伝送する無線伝送端末を有する端末装置と、
この無線伝送端末との無線通信を行う有線中継装置と、
この有線中継装置と有線通信網を介してデータ伝送を行う通信制御装置と、
この通信制御装置を介し前記有線中継装置を通じ前記無線伝送端末から伝送された前記画像信号の表示を行い、かつ前記通信制御装置との間で監視および制御の信号を伝送する中央監視装置と、
前記有線通信網に接続され、前記画像信号および前記音声信号または前記監視および制御の信号の通信を行う基地局及び子機と、
前記有線通信網に接続され、前記画像信号または前記監視および制御の信号の通信による配信を行う複数の配信端末とを備えた無線設備監視システムであって、
前記中央監視装置から配信による監視項目を設定する手段と、配信を行う前記配信端末のアドレスを指定する手段と、配信の許可を設定する手段と、前記配信端末からの配信要求に対し許可フラグを通知する手段と、前記配信端末からの認証確認要求があった場合に認証を行う手段とを有し、認証が許可された場合にのみ前記配信端末に前記無線伝送端末との監視機能を開始させ前記無線伝送端末からの画像表示または監視信号表示の配信を行うことを特徴とするものである。
【００１２】
請求項３記載の無線設備監視システムによれば、中央監視装置は配信端末に無線伝送端末の監視画像や監視情報の配信を許可する配信許可フラグを１にする。許可されたはフラグはインターネット等の通信網を経由して複数の配信端末へ送信される。一方、配信端末は無線伝送端末からの監視画像や監視情報の配信を要求する場合に配信フラグが１であれば中央監視装置からの配信が可能であると認識し、配信要求を開始する。次に認証要求を中央監視装置へ送信し、中央監視装置にて配信端末が正規に中央監視装置に登録されたものと判定した場合は、中央監視装置から許可信号を送信し、配信端末へ無線伝送端末からの監視画像や監視信号の配信を行う。
【００１３】
したがって、配信端末がインターネット等の通信網の通信範囲にあるが無線伝送端末が公衆基地局やインターネット等の通信網との通信が不能なエリアにおいても、中央監視装置より配信指示及び認証処理を行うことにより情報機密を確保し、より広範囲にわたり、設備の計測データや画像監視を行う無線設備監視システムを提供することができる。
【００１４】
請求項４記載の無線設備監視システムは、請求項１において、中央監視装置から子機による音声通話による監視項目を設定する手段と、音声監視機能を前記子機側にても監視できることを許可する手段と、前記子機からの音声監視要求に対し許可フラグを通知する手段と、無線伝送端末へ音声監視機能を前記子機側にても監視する許可フラグを通知する手段と、前記子機からの音声監視を要求する手段と、前記音声監視要求後前記子機からの認証確認要求があった場合に認証を行う手段と、認証が許可された場合にのみ前記無線伝送端末へ前記子機と通信接続要求を許可するフラグを通知する手段と、前記子機と前記無線伝送端末とを通信接続する手段を有し、前記子機に前記無線伝送端末との音声監視機能を開始させ前記無線伝送端末からの画像表示および音声出力または監視信号表示および制御信号指令および音声通話を行うものである。
【００１５】
請求項４記載の無線設備監視システムによれば、中央監視装置は音声監視を許可にし、音声フラグを１に設定する。設定されたフラグは無線伝送端末および子機へ送信される。次に子機から無線伝送端末と音声通話による監視を要求されると音声フラグを確認し、フラグが１であれば、認証要求を中央監視装置へ送信し、中央監視装置にて子機が正規に中央監視装置に登録されたものと判定した場合は、中央監視装置から許可信号を子機に送信し、さらに、無線伝送端末へ子機との接続指示を行い、この場合音声フラグが１であるので子機へ通信接続をし、無線伝送端末におけるマイクとスピーカにて現地の巡回者と子機における現地の巡回者間で音声通話が開始され、音声通話による監視や画像を確認しながらの音声通話を行うものである。
【００１６】
したがって、請求項１と同様な効果のほか、子機が公衆基地局の通信範囲にあるが無線伝送端末が公衆基地局との通信が不能なエリアにおいても無線伝送端末と子機との通話による監視や画像監視ができる無線設備監視システムを提供することができる。
【００１７】
請求項５記載の無線設備監視システムは、カメラ、マイクおよびセンサを含む電気設備を有し、この電気設備を制御する制御装置を有し、前記カメラからの画像信号、前記マイクからの音声信号および前記センサからの計測信号を入力するとともに前記電気設備を制御信号により制御し、前記画像信号、前記音声信号、前記計測信号および前記制御信号を無線にてデータ伝送する無線伝送端末を有する端末装置と、
前記カメラからの前記画像信号と、前記マイクからの前記音声信号と、前記センサからの前記計測信号とを入力し、これらを含む電気設備の制御を行ない、または選択により無線中継機能のみ行うことに特定できる手段を有し、前記画像信号、前記音声信号、前記計測信号および前記制御信号を無線によりデータ伝送を単一周波数にて時分割多重方式による多重化を行う１または複数段の無線中継伝送を行うｎ個の無線中継装置と、
前記無線伝送端末との無線通信を行う有線中継装置と、
この有線中継装置と有線通信網を介してデータ伝送を行う通信制御装置と、
この通信制御装置を介し前記有線中継装置を通じ前記無線伝送端末から伝送された前記画像信号の表示を行い、かつ前記通信制御装置との間で監視および制御の信号を伝送する中央監視装置と、
前記有線通信網に接続され、前記画像信号および前記音声信号または前記監視および制御の信号の通信を行う基地局及び子機と、
前記有線通信網に接続され、前記画像信号または前記監視および制御の信号の通信による配信を行う複数の配信端末とを備えた無線設備監視システムであって、
前記子機にて中央監視装置における監視を通信により要求する手段と、前記子機にて画像表示および音声出力または監視信号表示および制御信号指令をする手段と、前記中央監視装置における監視機能を前記子機側にても監視できることを許可する手段と、この前記許可された信号を前記子機側へ伝送する手段と、前記子機より監視要求があった場合に前記子機の属性を認証する手段と、認証後子機の監視を許可する手段とを有し、
前記許可後に前記子機にて前記無線中継装置を介して前記無線伝送端末または前記無線中継装置からの画像表示および音声出力または監視信号表示および制御信号指令を行うものである。
【００１８】
請求項５記載の無線設備監視システムによれば、中央監視装置は設定により子機から無線伝送端末に対し直接監視制御を行う場合は子機監視許可フラグを１に設定し、子機に許可フラグを伝送する。次に子機側から無線伝送端末に対し直接監視制御を行う要求が入力キー等により選択されると、前記子機監視許可フラグを確認し、フラグが１であれば、認証要求を中央監視装置へ送信し、中央監視装置にて子機が正規に中央監視装置に登録されたものと判定した場合は、中央監視装置から許可信号を送信し、通信制御装置より有線通信網を介し有線中継装置へ伝送が行われ、さらに無線にて無線中継装置を経て無線伝送端末にデータ伝送が行われ、単一周波数を時分割方式にてｎ番目の無線中継装置から無線伝送端末まで無線中継伝送され、カメラや電気設備の制御を制御装置により行なう。子機は無線伝送端末に対し直接監視制御や子機に監視画像の表示および音声の出力を行う。
【００１９】
したがって、子機が公衆基地局の通信範囲にあるが無線伝送端末または無線中継装置が公衆基地局との通信が不能なエリアにおいても子機から無線伝送端末または無線中継装置への監視制御ができ、かつ、開始する際に、中央監視装置との許可及び認証処理をおこなうので、情報機密を確保し、なおかつ移動体にて簡易により広範囲にわたり、設備の計測データや画像監視を行う無線設備監視システムを提供することができる。
【００２０】
請求項６記載の無線設備監視システムは、請求項５において、中央監視装置から子機による音声通話による監視項目を設定する手段と、音声監視機能を前記子機側にても監視できることを許可する手段と、前記子機からの音声監視要求に対し、許可フラグを通知する手段と、無線伝送端末へ音声監視機能を前記子機側にても監視する許可フラグを通知する手段と、前記子機からの音声監視を要求する手段と、前記音声監視要求後前記子機からの認証確認要求があった場合に認証を行う手段と、認証が許可された場合にのみ前記無線伝送端末へ前記子機と通信接続要求を許可するフラグを通知する手段と、前記子機と前記無線伝送端末とを通信接続する手段とを有し、前記子機に前記無線伝送端末または前記無線中継装置との音声監視機能を開始させ前記無線伝送端末または前記無線中継装置からの画像表示および音声出力または監視信号表示および制御信号指令および音声通話を行うものである。
【００２１】
請求項６記載の無線設備監視システムによれば、中央監視装置は音声監視を許可にし、音声フラグを１に設定する。設定された音声フラグは無線伝送端末やｎ台の無線中継装置および子機へ送信される。次に子機から無線伝送端末やｎ台の無線中継装置の中から通話を行う端末アドレスを指定する。次に、音声フラグを確認し、音声フラグが１であれば、認証要求および通話する端末アドレスを中央監視装置へ送信し、中央監視装置にて子機が正規に中央監視装置に登録されたものと判定した場合は、中央監視装置から許可信号を子機に送信し、さらに、選択された端末へ子機との接続指示を行い、この場合、音声フラグが１であるので子機へ通信接続をし、無線伝送端末におけるマイクとスピーカにて現地の巡回者と子機における現地の巡回者間で音声通話が開始され、音声通話による監視や画像を確認しながらの音声通話ができる。
【００２２】
したがって、請求項５と同様な効果のほか、無線中継装置間で無線伝送ができるとともに、監視する地点の必要に応じ、画像データＩＦ、音声データＩＦ、設備の監視および制御データの入出力インターフェイス手段にてＩＯユニットと接続することができる。ＩＯユニットを接続した場合は、無線中継装置間で無線伝送するデータを中継するのに加え、有線中継装置が設置されている地点の画像データと音声データ及び計測データを、回線接続インターフェイス手段により回線接続装置に伝送され、公衆回線網または専用回線網経由して遠隔地へデータ伝送する有線中継伝送できる。また、ＩＯユニットを接続しない場合には無線中継装置間で無線伝送するデータの有線中継のみができ、効率よく広域へ伝送するシステムが構成できる。
【００２３】
請求項７記載の無線設備監視システムは、請求項５において、中央監視装置から子機による音声同報指令による監視項目を設定する手段と、音声監視機能を前記子機側にても監視できることを許可する手段と、前記子機からの音声監視要求に対し許可フラグを通知する手段と、無線伝送端末及び無線中継装置へ音声監視機能を前記子機側にても監視する許可フラグを通知する手段と、前記子機からの音声監視を要求する手段と、前記音声監視要求後前記子機からの認証確認要求があった場合に認証を行う手段と、認証が許可された場合にのみ前記無線伝送端末へ前記子機と通信接続要求を許可するフラグを通知する手段と、前記子機と前記無線伝送端末とを通信接続する手段とを有し、前記子機から前記無線伝送端末及び前記無線中継装置への音声同報指令を開始させ、前記無線伝送端末または前記無線中継装置からの画像表示および音声出力または監視信号表示および無線伝送端末並びに各無線中継装置への音声同報指令を行うものである。
【００２４】
請求項７記載の無線設備監視システムによれば、子機からすべての無線伝送端末やｎ台の無線中継装置に同時に連絡する事項がある場合に、子機は音声同報フラグを１にセットし、中央監視装置へ送信する。中央監視装置は無線伝送端末やｎ台の無線中継装置に子機からの音声信号および音声同報フラグを有線中継装置へ送信し、音声同報フラグがセットされているので、中継される次の無線中継装置に音声通話機能がある場合には子機からの音声信号をスピーカにより子機からの同報音声メッセージを出力する指示を行う。同様にｎ台の無線中継装置や無線伝送端末の音声通話機能がある場合には子機からの同報音声メッセージをスピーカにより出力する。子機からの同報送信を終了する場合には、子機は音声同報フラグを０にリセットし、中央監視装置へ送信する。
【００２５】
したがって、請求項５と同様な効果のほか、子機が公衆基地局の通信範囲にあるが無線伝送端末が公衆基地局との通信が不能なエリアにおいても無線伝送端末やｎ台の無線中継装置と子機との通話による監視や画像監視が行え、さらに子機からの同報音声メッセージを各無線伝送端末やｎ台の無線中継装置に出力する無線設備監視システムを提供することができる。
【００２６】
【発明の実施の形態】
以下、本発明の実施の形態につき、図１ないし図９により説明する。
（実施の形態１）
まず、本発明の第１の実施の形態である第１システムについて図１を参照しながら説明する。
【００２７】
図１において、システム構成は、カメラ５からの画像信号と、マイク４からの音声信号と、電気設備３に付随するセンサ７からの計測信号が入力され、スピーカ１６により音声信号を出力し、また、制御装置６より電気設備３やカメラ５の制御を行い、さらにアンテナ８より無線伝送にて上記画像信号、音声、データ情報の伝送を行う端末装置の無線伝送端末１と、この無線伝送端末１と無線伝送を行う有線中継装置２と、この有線中継装置２と有線通信網１２を介した通信制御装置９および中央監視装置１０と、有線通信網１２から基地局１１を経由して移動通信を行う子機１３と、有線通信網１２から通信接続され、無線伝送端末１からの画像信号およびデータ情報の配信を受ける配信端末１４（１４−１、１４−２）からなる。
【００２８】
図１において、カメラ５からの画像信号と、マイク４からの音声信号と、電気設備３に付随するセンサ７からの計測信号が入力され、無線伝送端末１よりアンテナ８により有線中継装置２へ無線中継され有線形式のデータに変換され、有線通信網１２を介し遠隔地の通信制御装置９へ画像、音声、計測、制御信号のデータ伝送がおこなわれ、画像信号の表示を中央監視装置１０にて行う。また、中央監視装置１０より遠隔地の設備監視および制御信号が発せられ、通信制御装置９より有線通信網１２を介し有線中継装置２へ伝送が行われ、さらに無線にて無線伝送端末１にデータ伝送が行われ、カメラ５や電気設備３の制御を制御装置６により行なう。なお、図１において、カメラは１台のみ接続されているが、２つのカメラを接続し入力を無線伝送端末１側で切替えて使用してもよい。また、カメラ４が３台以上の場合も同様に切替えて使用することができる。
【００２９】
図１において、子機１３は中央監視装置１０からの許可をうけて無線伝送端末１に対し直接監視制御を図２に示す手順で行う。
【００３０】
図２において、中央監視装置１０は設定により子機１３から無線伝送端末１に対し直接監視制御を行う場合は子機監視許可フラグを１に設定し、子機１３に許可フラグを伝送する（監視要求許可）。次に子機１３側から無線伝送端末１に対し直接監視制御を行う要求（監視要求）が入力キー等により選択されると、上記子機監視許可フラグ（監視フラグが１に等しいか否か）を確認し、フラグが１であれば、認証要求を中央監視装置１０へ送信し、中央監視装置１０にて子機１３が正規に中央監視装置１０に登録されたものと判定した場合は（認証処理）、中央監視装置１０から許可信号を送信し（認証許可）、子機１３は無線伝送端末１に対し直接監視制御や子機１３に監視画像の表示を行う（伝送端末画像監視開始）。
【００３１】
なお、中央監視装置１０から許可信号を送信する際はコールバックにより、再度中央監視装置１０から子機１３に通信接続を行ってもよい。
【００３２】
以上の第１の実施の形態から明らかなように、子機１３が公衆基地局１１の通信範囲にあるが無線伝送端末１が公衆基地局１１との通信が不能なエリアにおいても、子機１３から無線伝送端末１への監視制御ができ、かつ、開始する際に、中央監視装置１０との許可及び認証処理を行ううので、情報機密を確保し、なおかつ移動体にて簡易により広範囲にわたり、設備の計測データや画像監視を行う無線設備監視システムを提供することができる。
【００３３】
（実施の形態２）
本発明の第２の実施の形態である第２システムについて図３を参照しながら説明する。
【００３４】
システム構成は図１と同じである。図３において、中央監視装置１０から、無線伝送端末１を子機１３側にて監視する監視項目を設定し、それぞれの設定値と計測値を比較する。次に計測値が設定値を超えた場合に子機１３と通信接続を行い、子機呼び出し要求信号を送信する。子機１３側は前記信号を受信後、認証要求を中央監視装置１０へ送信し、中央監視装置１０にて子機１３が正規に中央監視装置１０に登録されたものと判定した場合は、中央監視装置１０から許可信号を送信し、子機１３は無線伝送端末１に対し直接監視制御や子機１３に監視画像の表示を行う。また、中央監視装置１０は子機１３からの直接監視終了後、再び中央監視装置１０からの監視制御を開始する。
【００３５】
以上の実施の形態から明らかなように子機１３が公衆基地局１１の通信範囲にあるが無線伝送端末１が公衆基地局１１との通信が不能なエリアにおいても、監視項目が設定値を越えた場合、子機１３から無線伝送端末１への監視制御ができることにより、中央監視装置１０以外の場所にても監視制御ができ、緊急時の設備異常の際に早期対策ができる。
【００３６】
（実施の形態３）
つぎに、本発明の第３の実施の形態である第３システムについて図４を参照しながら説明する。
【００３７】
システム構成は図１と同じである。図４において、配信による監視項目を設定し、配信を行う配信端末１４のアドレスを指定し、配信の許可を設定する手段を有する。中央監視装置１０は配信端末１４に無線伝送端末１の監視画像や監視情報の配信を許可する配信許可フラグを１にする。許可されたはフラグはインターネット等の通信網１２を経由して複数の配信端末１４へ送信される。一方、配信端末１４は無線伝送端末１からの監視画像や監視情報の配信を要求する場合に配信フラグが１であれば中央監視装置１０からの配信が可能であると認識し、配信要求を開始する。次に認証要求を中央監視装置１０へ送信し、中央監視装置１０にて配信端末１４が正規に中央監視装置１０に登録されたものと判定した場合は、中央監視装置１０から許可信号を送信し、配信端末１４へ無線伝送端末１からの監視画像や監視信号の配信を行う。この場合、仮に認証が正常でも配信許可がされていなければ、配信端末１４への配信は行なわれない。
【００３８】
以上の実施の形態から明らかなように、配信端末１４がインターネット等の通信網１２の通信範囲にあるが無線伝送端末１が公衆基地局１１やインターネット等の通信網１２との通信が不能なエリアにおいても、中央監視装置１０より配信指示及び認証処理を行うことにより情報機密を確保し、より広範囲にわたり、設備の計測データや画像監視を行う無線設備監視システムを提供することができる。
【００３９】
なお、第１の実施の形態と組み合わせることが可能である。
【００４０】
（実施の形態４）
つぎに、本発明の第４の実施の形態である第４システムについて図５を参照しながら説明する。
【００４１】
システム構成は図１と同じである。図５において中央監視装置１０から子機１３による音声通話による監視項目を設定し、音声監視機能を子機１３側にても監視できることを許可する手段を有し、中央監視装置１０は音声監視を許可にし、音声フラグを１に設定する。設定されたフラグは無線伝送端末１および子機１３へ送信される。次に子機１３から無線伝送端末１と音声通話による監視を要求されると音声フラグを確認し、フラグが１であれば、認証要求を中央監視装置１０へ送信し、中央監視装置１０にて子機１３が正規に中央監視装置１０に登録されたものと判定した場合は、中央監視装置１０から許可信号を子機１３に送信し、さらに、無線伝送端末１へ子機１３との接続指示を行い、この場合音声フラグが１であるので子機１３へ通信接続をし、無線伝送端末１におけるマイク４とスピーカ１６にて現地の巡回者と子機１３における現地の巡回者間で音声通話が開始され、音声通話による監視や画像を確認しながらの音声通話ができる。
【００４２】
以上の実施の形態から明らかなように子機１３が公衆基地局１１の通信範囲にあるが無線伝送端末１が公衆基地局１１との通信が不能なエリアにおいても無線伝送端末１と子機１３との通話による監視や画像監視ができる無線設備監視システムを提供することができる。
【００４３】
（実施の形態５）
つぎに、本発明の第５の実施の形態である第５システムについて図６および図７を参照しながら説明する。
【００４４】
図６において、システム構成はカメラ５からの画像信号と、マイク４からの音声信号と、電気設備３に付随するセンサ７からの計測信号が入力され、スピーカ１６により音声信号を出力し、また、制御装置６により電気設備３やカメラ５の制御を行い、さらにアンテナ８より無線伝送にて前記画像、音声、データ情報の伝送を行う無線伝送端末１と、カメラ５からの画像信号と、マイク４からの音声信号と、電気設備３に付随するセンサ７からの計測信号が入力され、スピーカ１６により音声信号を出力し、また、制御装置６より電気設備３やカメラ５の制御を行い、さらにアンテナ８より無線伝送にて画像、音声、データ情報の伝送を行うかあるいは選択により無線中継機能のみ行うことに特定できる手段を有し、画像、計測、制御信号を無線にてデータ伝送を単一周波数にて時分割多重方式による多重化を行う１または複数段の無線中継伝送を行うｎ個の無線中継装置１５（１５−１〜１５−ｎ）と、有線中継装置２と有線通信網１２を介する通信制御装置９および中央監視装置１０と、有線通信網１２から基地局１１を経由して移動通信を行う子機１３と、有線通信網１２から通信接続され、無線伝送端末１からの画像、データ情報の配信を受ける複数の配信端末１４（１４−１、１４−２）からなる。
【００４５】
図６において、カメラ５からの画像信号と、マイク４からの音声信号と、電気設備３に付随するセンサ７からの計測信号が入力され、無線伝送端末１よりアンテナ８により無線にて無線中継装置１５−１へデータ伝送が行われる。
【００４６】
なお、図６において、カメラは１台のみ接続されているが、２つのカメラを接続し入力を無線伝送端末１側で切替えて使用してもよい。また、カメラ４が３台以上の場合も同様に切替えて使用することができる。
【００４７】
この場合無線伝送方式はＦＳＫ変調、ＰＳＫ変調またはＱＰＳＫ変調の何れの変調方式をとってもよく、さらに前記の変調に加えて２次変調であるスペクトル拡散変調を用いてもよい。
【００４８】
次に無線中継装置１５−１から単一周波数を時分割方式にてｎ番目の無線中継装置１５−ｎまで無線中継伝送を行う。さらに有線中継装置２へ無線中継され有線形式のデータに変換され、有線通信網１２を介し遠隔地の通信制御装置９へ画像、音声、計測、制御信号のデータ伝送がおこなわれ、画像信号の表示を中央監視装置１０にて行う。
【００４９】
また、中央監視装置１０より遠隔地の設備監視および制御信号が発せられ、通信制御装置９より有線通信網１２を介し有線中継装置２へ伝送が行われ、さらに無線にて無線中継装置１５−１を経て無線伝送端末１にデータ伝送が行われ、カメラ５や電気設備３の制御を制御装置６により行なう。
【００５０】
図６において、子機１３は中央監視装置１０からの許可をうけて無線伝送端末１に対し直接監視制御を図７に示す手順で行う。
【００５１】
図７において、中央監視装置１０は設定により子機１３から無線伝送端末１に対し直接監視制御を行う場合は子機監視許可フラグを１に設定し、子機に許可フラグを伝送する。次に子機側から無線伝送端末１に対し直接監視制御を行う要求が入力キー等により選択されると、上記子機監視許可フラグを確認し、フラグが１であれば、認証要求を中央監視装置１０へ送信し、中央監視装置１０にて子機１３が正規に中央監視装置１０に登録されたものと判定した場合は、中央監視装置１０から許可信号を送信し、通信制御装置４より有線通信網１２を介し有線中継装置２へ伝送が行われ、さらに無線にて無線中継装置１５を経て無線伝送端末１にデータ伝送が行われ、単一周波数を時分割方式にてｎ番目の無線中継装置１５−ｎから無線伝送端末１まで無線中継伝送され、カメラ５や電気設備３の制御を制御装置６により行なう。子機１３は無線伝送端末１に対し直接監視制御や子機１３に監視画像の表示を行う。
【００５２】
なお、中央監視装置１０から許可信号を送信する際はコールバックにより、再度中央監視装置１０から子機１３に通信接続をおこなってもよい。
【００５３】
以上の実施の形態から明らかなように子機１３から子機１３が公衆基地局１１の通信範囲にあるが無線伝送端末１または無線中継装置１５が公衆基地局１１との通信が不能なエリアにおいても、子機１３から無線伝送端末１または無線中継装置１５への監視制御ができ、かつ、開始する際に、中央監視装置１０との許可及び認証処理をおこなうので、情報機密を確保し、なおかつ移動体にて簡易により広範囲にわたり、設備の計測データや画像監視を行う無線設備監視システムを提供することができる。
（実施の形態６）
つぎに、本発明の第６の実施の形態である第６システムについて図８を参照しながら説明する。
【００５４】
システム構成は図６と同様である。図８において、中央監視装置１０から子機１３による音声通話による監視項目を設定し、音声監視機能を子機１３側にても監視できることを許可する手段を有する。中央監視装置１０は音声監視を許可にし、音声フラグを１に設定する。設定された音声フラグは無線伝送端末１やｎ台の無線中継装置１５および子機１３へ送信される。次に子機１３から無線伝送端末１やｎ台の無線中継装置１５の中から通話を行う端末アドレスを指定する。次に、音声フラグを確認し、音声フラグが１であれば、認証要求および通話する端末アドレスを中央監視装置１０へ送信し、中央監視装置１０にて子機が正規に中央監視装置１０に登録されたものと判定した場合は、中央監視装置１０から許可信号を子機１３に送信し、さらに、選択された端末へ子機１３との接続指示を行い、この場合、音声フラグが１であるので子機１３へ通信接続をし、無線伝送端末１におけるマイク４とスピーカ１６にて現地の巡回者と子機１３における現地の巡回者間で音声通話が開始され、音声通話による監視や画像を確認しながらの音声通話ができる。
【００５５】
以上の実施の形態から明らかなように、子機１３が公衆基地局１１の通信範囲にあるが無線伝送端末１が公衆基地局１１との通信が不能なエリアにおいても無線伝送端末１やｎ台の無線中継装置１５と子機１３との通話による監視や画像監視ができる無線設備監視システムを提供することができる。
（実施の形態７）
つぎに、本発明の第７の実施の形態である第７システムについて図９を参照しながら説明する。
【００５６】
システム構成は図６と同様であり、かつ第６の実施の形態の構成も有する。図９において、中央監視装置１０から子機１３による音声同報指令による監視項目を設定し、音声監視機能を子機１３側にても監視できることを許可する手段を有する。中央監視装置１０は音声監視を許可にし、音声フラグを１に設定する。設定されたフラグは無線伝送端末１やｎ台の無線中継装置１５および子機１３へ送信される。次に子機１３から無線伝送端末１やｎ台の無線中継装置１５の中から通話を行う端末アドレスを指定する。次に、音声フラグを確認し、フラグが１であれば、認証要求および通話する端末アドレスを中央監視装置１０へ送信し、中央監視装置１０にて子機１３が正規に中央監視装置１０に登録されたものと判定した場合は、中央監視装置１０から許可信号を子機１３に送信し、さらに、選択された端末へ子機１３との接続指示を行い、この場合音声フラグが１であるので子機１３へ通信接続をし、無線伝送端末１におけるマイク４とスピーカ１６にて現地の巡回者と子機１３における現地の巡回者間で音声通話が開始され、音声通話による監視や画像を確認しながらの音声通話ができる。
【００５７】
次に子機１３からすべての無線伝送端末１やｎ台の無線中継装置１５に同時に連絡する事項がある場合に、子機１３は音声同報フラグを１にセットし、中央監視装置１０へ送信する（同報指定）。中央監視装置１０は無線伝送端末１やｎ台の無線中継装置１５に子機１３からの音声信号および音声同報フラグを有線中継装置２へ送信し、音声同報フラグがセットされているので、中継される次の無線中継装置１５に音声通話機能がある場合には子機１３からの音声信号をスピーカ１６により子機１３からの同報音声メッセージを出力する指示を行う。同様にｎ台の無線中継装置１５や無線伝送端末１の音声通話機能がある場合には子機１３からの同報音声メッセージをスピーカ１６により出力する。
【００５８】
子機１３からの同報送信を終了する場合には、子機１３は音声同報フラグを０にリセットし、中央監視装置１０へ送信する。
【００５９】
以上の実施の形態から明らかなように子機１３が公衆基地局１１の通信範囲にあるが無線伝送端末１が公衆基地局１１との通信が不能なエリアにおいても無線伝送端末１やｎ台の無線中継装置１５と子機１３との通話による監視や画像監視ができ、さらに子機１３からの同報音声メッセージを各無線伝送端末１やｎ台の無線中継装置１５に出力する無線設備監視システムを提供することができる。
【００６０】
【発明の効果】
請求項１記載の無線設備監視システムによれば、子機が公衆基地局の通信範囲にあるが無線伝送端末が公衆基地局との通信が不能なエリアにおいても子機から無線伝送端末への監視制御ができ、かつ、開始する際に、中央監視装置との許可及び認証処理を行うので、情報機密を確保し、なおかつ移動体にて簡易により広範囲にわたり、設備の計測データや画像監視を行う無線設備監視システムを提供することができる。
【００６１】
請求項２記載の無線設備監視システムによれば、子機が公衆基地局の通信範囲にあるが無線伝送端末が公衆基地局との通信が不能なエリアにおいても、監視項目が設定値を超えた場合、子機から無線伝送端末１への監視制御ができることにより、中央監視装置以外の場所にても監視制御ができ、緊急時の設備異常の際に早期対策ができる。
【００６２】
請求項３記載の無線設備監視システムによれば、配信端末がインターネット等の通信網の通信範囲にあるが無線伝送端末が公衆基地局やインターネット等の通信網との通信が不能なエリアにおいても、中央監視装置より配信指示及び認証処理を行うことにより情報機密を確保し、より広範囲にわたり、設備の計測データや画像監視を行う無線設備監視システムを提供することができる。
【００６３】
請求項４記載の無線設備監視システムによれば、請求項１と同様な効果のほか、子機が公衆基地局の通信範囲にあるが無線伝送端末が公衆基地局との通信が不能なエリアにおいても無線伝送端末と子機との通話による監視や画像監視ができる無線設備監視システムを提供することができる。
【００６４】
請求項５記載の無線設備監視システムによれば、子機が公衆基地局の通信範囲にあるが無線伝送端末または無線中継装置が公衆基地局との通信が不能なエリアにおいても子機から無線伝送端末または無線中継装置への監視制御ができ、かつ、開始する際に、中央監視装置との許可及び認証処理をおこなうので、情報機密を確保し、なおかつ移動体にて簡易により広範囲にわたり、設備の計測データや画像監視を行う無線設備監視システムを提供することができる。
【００６５】
請求項６記載の無線設備監視システムによれば、請求項５と同様な効果のほか、無線中継装置間で無線伝送ができるとともに、監視する地点の必要に応じ、画像データＩＦ、音声データＩＦ、設備の監視および制御データの入出力インターフェイス手段にてＩＯユニットと接続することができる。ＩＯユニットを接続した場合は、無線中継装置間で無線伝送するデータを中継するのに加え、有線中継装置が設置されている地点の画像データと音声データ及び計測データを、回線接続インターフェイス手段により回線接続装置に伝送され、公衆回線網または専用回線網経由して遠隔地へデータ伝送する有線中継伝送できる。また、ＩＯユニットを接続しない場合には無線中継装置間で無線伝送するデータの有線中継のみができ、効率よく広域へ伝送するシステムが構成できる。
【００６６】
請求項７記載の無線設備監視システムによれば、請求項５と同様な効果のほか子機が公衆基地局の通信範囲にあるが無線伝送端末が公衆基地局との通信が不能なエリアにおいても無線伝送端末やｎ台の無線中継装置と子機との通話による監視や画像監視が行え、さらに子機からの同報音声メッセージを各無線伝送端末やｎ台の無線中継装置に出力する無線設備監視システムを提供することができる。
【図面の簡単な説明】
【図１】本発明の第１の実施の形態から第４の実施の形態における無線設備監視システムの概略システム構成図である。
【図２】第１の実施の形態における無線設備監視システムの概略処理フロー図である。
【図３】第２の実施の形態における無線設備監視システムの概略処理フロー図である。
【図４】第３の実施の形態における無線設備監視システムの概略処理フロー図である。
【図５】第４の実施の形態における無線設備監視システムの概略処理フロー図である。
【図６】本発明の第５の実施の形態から第７の実施の形態における無線設備監視システムの概略システム構成図である。
【図７】第５の実施の形態における無線設備監視システムの概略処理フロー図である。
【図８】第６の実施の形態における無線設備監視システムの概略処理フロー図である。
【図９】第７の実施の形態における無線設備監視システムの概略処理フロー図である。
【図１０】従来の無線設備監視システムのシステム構成図である。
【符号の説明】
１    無線伝送端末
2     有線中継装置
3     電気設備
4     マイク
5     カメラ
6     制御装置
7     センサ
8     アンテナ
9     通信制御装置
10    中央監視装置
11    基地局
12    有線通信網
13    子機
14    配信端末
15    無線中継装置
16    スピーカ
【図１】
0004409077.tif 000002
【図２】
0004409077.tif 000003
【図３】
0004409077.tif 000004
【図４】
0004409077.tif 000005
【図５】
0004409077.tif 000006
【図６】
0004409077.tif 000007
【図７】
0004409077.tif 000008
【図８】
0004409077.tif 000009
【図９】
0004409077.tif 000010
【図１０】
0004409077.tif 000011